【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
１つ以上の記録層を備え、ブロック単位で情報の記録が行われる追記型情報記録媒体であって、
前記追記型情報記録媒体は、
ユーザデータを記録するためのユーザデータ領域と、
前記追記型情報記録媒体に関する管理情報を記録するための管理情報領域と
を備え、
前記ユーザデータ領域は、前記記録層毎に設けられ、
前記管理情報は、
所定の前記記録層の前記ユーザデータ領域の記録状態を管理するためのビットマップ情報を含むスペースビットマップと、
前記スペースビットマップに関する位置情報を含むディスク定義構造と
を含み、
前記スペースビットマップのサイズは、前記ユーザデータ領域のサイズに関係なく、前記ディスク定義構造と組み合わせて１ブロックサイズとなるサイズであり、
前記所定の記録層の前記ユーザデータ領域のサイズが所定のサイズを超える場合、前記所定の記録層の前記ユーザデータ領域に対して、複数の前記スペースビットマップが形成され、
前記所定のサイズとは、１つの前記ビットマップ情報で管理可能な最大の前記ユーザデータ領域のサイズであり、
前記１つ以上の記録層のうち少なくとも１つの記録層のユーザデータ領域のサイズは、前記所定のサイズを超えるサイズであり、
前記管理情報領域には、前記複数のスペースビットマップのそれぞれが、前記複数のスペースビットマップのうちの１つと前記ディスク定義構造とを含む１ブロックサイズのディスク管理構造更新単位として記録され、
前記ディスク定義構造は、前記ディスク管理構造更新単位内の所定位置に配置され、
前記管理情報領域の所定位置のブロックには、
前記ディスク管理構造更新単位と、
前記ディスク定義構造および初期の欠陥リストを含む１ブロックサイズの第２のディスク管理構造更新単位と
のうちのいずれかが記録され、
前記ディスク定義構造は、前記初期の欠陥リストの位置情報を含み、
前記初期の欠陥リストとは、欠陥領域に関する情報を含まない欠陥リストである、追記型情報記録媒体。
【請求項２】
前記所定位置のブロックとは、前記管理情報領域において、前記ディスク管理構造更新単位もしくは前記第２のディスク管理構造更新単位を記録再生可能なブロックのうち最も先頭にあるブロックである、請求項１に記載の追記型情報記録媒体。
【請求項３】
１つ以上の記録層を備え、ブロック単位で記録が行われる追記型情報記録媒体へ情報の記録を行なう情報記録装置であって、
前記追記型情報記録媒体は、
ユーザデータを記録するためのユーザデータ領域と、
前記追記型情報記録媒体に関する管理情報を記録するための管理情報領域と
を備え、
前記ユーザデータ領域は、前記記録層毎に備えられ、
前記管理情報は、
所定の前記記録層の前記ユーザデータ領域の記録状態を管理するためのビットマップ情報を含むスペースビットマップと、
前記スペースビットマップに関する位置情報を含むディスク定義構造と
を含み、
前記スペースビットマップのサイズは、前記ユーザデータ領域のサイズに関係なく、前記ディスク定義構造と組み合わせて１ブロックサイズとなるサイズであり、
前記１つ以上の記録層のうち少なくとも１つの記録層のユーザデータ領域のサイズは、所定のサイズを超えるサイズであり、
前記所定のサイズとは、１つの前記ビットマップ情報で管理可能な最大の前記ユーザデータ領域のサイズであり、
前記情報記録装置は、
前記所定の記録層の前記ユーザデータ領域のサイズが前記所定のサイズを超える場合、前記所定の記録層の前記ユーザデータ領域に対して、複数の前記スペースビットマップを形成し、
前記管理情報領域に、前記複数のスペースビットマップのそれぞれを、前記複数のスペースビットマップのうちの１つと前記ディスク定義構造とを含む１ブロックサイズのディスク管理構造更新単位として記録し、
前記ディスク定義構造を前記ディスク管理構造更新単位内の所定位置に配置し、
前記管理情報領域の所定位置のブロックには、
前記ディスク管理構造更新単位と、
前記ディスク定義構造および初期の欠陥リストを含む１ブロックサイズの第２のディスク管理構造更新単位と
のうちのいずれかを記録し、
前記ディスク定義構造は、前記初期の欠陥リストの位置情報を含み、
前記初期の欠陥リストとは、欠陥領域に関する情報を含まない欠陥リストである、情報記録装置。
【請求項４】
前記所定位置のブロックとは、前記管理情報領域において、前記ディスク管理構造更新単位もしくは前記第２のディスク管理構造更新単位を記録再生可能なブロックのうち最も先頭にあるブロックである、請求項３に記載の情報記録装置。
【請求項５】
１つ以上の記録層を備え、ブロック単位で記録が行われる追記型情報記録媒体へ情報の記録を行なう情報記録方法であって、
前記追記型情報記録媒体は、
ユーザデータを記録するためのユーザデータ領域と、
前記追記型情報記録媒体に関する管理情報を記録するための管理情報領域と
を備え、
前記ユーザデータ領域は、前記記録層毎に備えられ、
前記管理情報は、
所定の前記記録層の前記ユーザデータ領域の記録状態を管理するためのビットマップ情報を含むスペースビットマップと、
前記スペースビットマップに関する位置情報を含むディスク定義構造と
を含み、
前記スペースビットマップのサイズは、前記ユーザデータ領域のサイズに関係なく、前記ディスク定義構造と組み合わせて１ブロックサイズとなるサイズであり、
前記１つ以上の記録層のうち少なくとも１つの記録層のユーザデータ領域のサイズは、所定のサイズを超えるサイズであり、
前記所定のサイズとは、１つの前記ビットマップ情報で管理可能な最大の前記ユーザデータ領域のサイズであり、
前記情報記録方法は、
前記所定の記録層の前記ユーザデータ領域のサイズが前記所定のサイズを超える場合、前記所定の記録層の前記ユーザデータ領域に対して、複数の前記スペースビットマップを形成するステップと、
前記管理情報領域に、前記複数のスペースビットマップのそれぞれを、前記複数のスペースビットマップのうちの１つと前記ディスク定義構造とを含む１ブロックサイズのディスク管理構造更新単位として記録するステップと、
前記ディスク定義構造を前記ディスク管理構造更新単位内の所定位置に配置するステップと、を包含し、
前記管理情報領域の所定位置のブロックには、
前記ディスク管理構造更新単位と、
前記ディスク定義構造および初期の欠陥リストを含む１ブロックサイズの第２のディスク管理構造更新単位と
のうちのいずれかを記録し、
前記ディスク定義構造は、前記初期の欠陥リストの位置情報を含み、
前記初期の欠陥リストとは、欠陥領域に関する情報を含まない欠陥リストである、情報記録方法。
【請求項６】
前記所定位置のブロックとは、前記管理情報領域において、前記ディスク管理構造更新単位もしくは前記第２のディスク管理構造更新単位を記録再生可能なブロックのうち最も先頭にあるブロックである、請求項５に記載の情報記録方法。
【請求項７】
１つ以上の記録層を備え、ブロック単位で記録が行われる追記型情報記録媒体から情報の再生を行なう情報再生装置であって、
前記追記型情報記録媒体は、
ユーザデータを記録するためのユーザデータ領域と、
前記追記型情報記録媒体に関する管理情報を記録するための管理情報領域と
を備え、
前記ユーザデータ領域は、前記記録層毎に備えられ、
前記管理情報は、
所定の前記記録層の前記ユーザデータ領域の記録状態を管理するためのビットマップ情報を含むスペースビットマップと、
前記スペースビットマップに関する位置情報を含むディスク定義構造と
を含み、
前記スペースビットマップのサイズは、前記ユーザデータ領域のサイズに関係なく、前記ディスク定義構造と組み合わせて１ブロックサイズとなるサイズであり、
前記所定の記録層の前記ユーザデータ領域のサイズが所定のサイズを超える場合、前記所定の記録層の前記ユーザデータ領域に対して、複数の前記スペースビットマップが形成され、
前記所定のサイズとは、１つの前記ビットマップ情報で管理可能な最大の前記ユーザデータ領域のサイズであり、
前記１つ以上の記録層のうち少なくとも１つの記録層のユーザデータ領域のサイズは、前記所定のサイズを超えるサイズであり、
前記管理情報領域には、前記複数のスペースビットマップのそれぞれが、前記複数のスペースビットマップのうちの１つと前記ディスク定義構造とを含む１ブロックサイズのディスク管理構造更新単位として記録され、
前記ディスク定義構造は、前記ディスク管理構造更新単位内の所定位置に配置されており、
前記情報再生装置は、
前記管理情報領域から、前記ディスク定義構造を含む１ブロックサイズの前記ディスク管理構造更新単位を読み出し、前記スペースビットマップを読み出し、
前記管理情報領域の所定位置のブロックには、
前記ディスク管理構造更新単位と、
前記ディスク定義構造および初期の欠陥リストを含む１ブロックサイズの第２のディスク管理構造更新単位と
のうちのいずれかが記録され、
前記ディスク定義構造は、前記初期の欠陥リストの位置情報を含み、
前記初期の欠陥リストとは、欠陥領域に関する情報を含まない欠陥リストであり、
前記情報再生装置は、前記所定位置のブロックから、前記ディスク管理構造更新単位および前記第２のディスク管理構造更新単位のうちのいずれかを読み出す、情報再生装置。
【請求項８】
前記所定位置のブロックとは、前記管理情報領域において、前記ディスク管理構造更新単位もしくは前記第２のディスク管理構造更新単位を記録再生可能なブロックのうち最も先頭にあるブロックである、請求項７に記載の情報再生装置。
【請求項９】
１つ以上の記録層を備え、ブロック単位で記録が行われる追記型情報記録媒体から情報の再生を行なう情報再生方法であって、
前記追記型情報記録媒体は、
ユーザデータを記録するためのユーザデータ領域と、
前記追記型情報記録媒体に関する管理情報を記録するための管理情報領域と
を備え、
前記ユーザデータ領域は、前記記録層毎に備えられ、
前記管理情報は、
所定の前記記録層の前記ユーザデータ領域の記録状態を管理するためのビットマップ情報を含むスペースビットマップと、
前記スペースビットマップに関する位置情報を含むディスク定義構造と
を含み、
前記スペースビットマップのサイズは、前記ユーザデータ領域のサイズに関係なく、前記ディスク定義構造と組み合わせて１ブロックサイズとなるサイズであり、
前記所定の記録層の前記ユーザデータ領域のサイズが所定のサイズを超える場合、前記所定の記録層の前記ユーザデータ領域に対して、複数の前記スペースビットマップが形成され、
前記所定のサイズとは、１つの前記ビットマップ情報で管理可能な最大の前記ユーザデータ領域のサイズであり、
前記１つ以上の記録層のうち少なくとも１つの記録層のユーザデータ領域のサイズは、前記所定のサイズを超えるサイズであり、
前記管理情報領域には、前記複数のスペースビットマップのそれぞれが、前記複数のスペースビットマップのうちの１つと前記ディスク定義構造とを含む１ブロックサイズのディスク管理構造更新単位として記録され、
前記ディスク定義構造は、前記ディスク管理構造更新単位内の所定位置に配置されており、
前記情報再生方法は、
前記管理情報領域から、前記ディスク定義構造を含む１ブロックサイズの前記ディスク管理構造更新単位を読み出し、前記スペースビットマップを読み出すステップ、
を包含し、
前記管理情報領域の所定位置のブロックには、
前記ディスク管理構造更新単位と、
前記ディスク定義構造および初期の欠陥リストを含む１ブロックサイズの第２のディスク管理構造更新単位と
のうちのいずれかが記録され、
前記ディスク定義構造は、前記初期の欠陥リストの位置情報を含み、
前記初期の欠陥リストとは、欠陥領域に関する情報を含まない欠陥リストであり、
前記情報再生方法は、
前記管理情報領域の所定位置のブロックから、前記ディスク管理構造更新単位および前記第２のディスク管理構造更新単位のうちのいずれかを読み出すステップ、
をさらに包含する、情報再生方法。
【請求項１０】
前記所定位置のブロックとは、前記管理情報領域において、前記ディスク管理構造更新単位もしくは前記第２のディスク管理構造更新単位を記録再生可能なブロックのうち最も先頭にあるブロックである、請求項９に記載の情報再生方法。